(57)【要約】  いくつかの典型的な実施の形態では、第１の車両によって顧客を迎車するようにする工程を備える方法を提供することができる。第１の事業体場所またはイベントに顧客を送迎する受け取り済みの第１の要求に応じて顧客を迎車する。第１の事業体場所またはイベント、送迎が申し込まれる複数の予め定められた事業体場所またはイベントの１つ。【選択図】  図１
2020503627.tif 000002
【特許請求の範囲】
【請求項１】
第１の車両によって顧客を迎車するようにする工程であって、第１の事業体場所またはイベントに前記顧客を送迎する受け取り済みの第１の要求に応じて前記顧客を迎車し、前記第１の事業体場所またはイベント、送迎が申し込まれる複数の予め定められた事業体場所またはイベントの１つである、工程を含む方法であって、
前記顧客に関する個人情報を受け取り済みの第１の要求に応じて受け、
前記第１の事業体場所またはイベントへの前記顧客の送迎を提供する複数の車両から前記第１の車両を選択し、
前記顧客の位置に対する前記第１の車両の近接度に基づいて前記複数の車両から前記第１の車両を選択し、
前記第１の事業体場所またはイベントに関連する第１の者に信号を送信し、前記信号は、前記顧客が前記第１の事業体場所またはイベントに送迎されていることと、前記顧客のおおよその到達時間とを表示し、
前記顧客向けの予約の承認または否認を前記第１の事業体場所またはイベントから受け、
前記顧客に識別体が提供されるようにし、前記識別体は、前記顧客の課金または位置の少なくとも１つを追跡するように前記第１の事業体場所またはイベント向けに構成され、
前記識別体が前記第１の事業体場所またはイベントによって受けられるようにし、前記識別体はＧＰＳ座標に基づき、
前記識別体を通じて、前記顧客の前記位置が前記第１の事業体場所またはイベントに送信されるようにし、
前記顧客を前記第１の事業体場所またはイベントから送迎する第２の要求を受け、前記第２の要求は前記顧客が利用可能な第１のユーザインタフェースを通じて行なわれ、
前記第２の要求に応じて、第２の車両を派遣して前記顧客を迎車する、方法。
【請求項２】
前記第１の車両を派遣して前記顧客を迎車する工程をさらに含む請求項１に記載の方法。
【請求項３】
前記第１の事業体場所またはイベントから前記顧客向けの前記予約の受諾を受ける工程をさらに含む請求項１に記載の方法。
【請求項４】
前記第１の事業体場所またはイベントで前記識別体が読み取られるのに応じて、前記第１の事業体場所またはイベントで勘定を開始するようにする工程をさらに含む請求項１に記載の方法。
【請求項５】
前記第１の事業体場所またはイベントで前記識別体が読み取られるのに応じて、勘定書の印刷出力物を前記第１の事業体場所またはイベントで印刷するようにする工程をさらに含む請求項１に記載の方法。
【請求項６】
前記第１の事業体場所またはイベントに基づいて前記顧客に広告を与える工程をさらに含む請求項１に記載の方法。
【請求項７】
前記第１の事業体場所またはイベントに送迎される者の１つ以上の所在地を備える情報を前記顧客から受ける工程をさらに含む請求項１に記載の方法。
【請求項８】
ナンバープレート番号、前記第１の車両の写真または前記第１の車両のドライバの写真の少なくとも１つを備える情報を前記顧客に送信する工程をさらに含む請求項１に記載の方法。
【請求項９】
前記第１の事業体場所またはイベントの前記顧客についての全勘定の勘定書の写しを前記顧客が提供する必要があるようにする工程をさらに含む請求項１に記載の方法。
【請求項１０】
前記第１の事業体場所またはイベントでの前記顧客の全勘定の所定の割合として、前記第１の事業体場所またはイベントから前記第１の車両に関連する第２の者に金員を移すようにする工程をさらに含む請求項１に記載の方法。
【請求項１１】
前記第１の事業体場所またはイベントからの定額料金として、前記第１の車両に関連する第２の者に金員を移すようにする工程をさらに含む請求項１に記載の方法。
【請求項１２】
メーター計算請求を用いずに送迎を前記顧客に提供する、請求項１に記載の方法。
【請求項１３】
前記第２の要求によって第２の事業体場所またはイベントへの前記顧客の送迎が行なわれるようにする、請求項１に記載の方法。
【請求項１４】
前記顧客によって支払われるチケット代金の一部が送迎についての対価として提供され、送迎についての前記顧客からの前記要求の前にこのチケット代金は支払い済みである、請求項１に記載の方法。
【請求項１５】
前記顧客は送迎されるときに送迎の支払いを行なわない、請求項１に記載の方法。
【請求項１６】
前記ユーザインタフェースを通じて前記個人情報について前記アプリケーションによって前記顧客に問い合わせる、請求項１に記載の方法。
【請求項１７】
前記要求は前記顧客からのものであり、パーソナルコンピューティングデバイスの第２のユーザインタフェース上のアプリケーションから要求を送信する、請求項１に記載の方法。
【請求項１８】
前記顧客は第２のユーザインタフェースを通じて事業体場所またはイベントの予め定められたリストから前記第１の事業体場所またはイベントを選択する、請求項１に記載の方法。
【請求項１９】
前記要求は前記第１の事業体場所またはイベントに関連する者からのものである、請求項１に記載の方法。
【請求項２０】
第１の車両によって顧客を迎車するようにする工程であって、第１の事業体場所またはイベントに前記顧客を送迎する受け取り済みの第１の要求に応じて前記顧客を迎車し、前記第１の事業体場所またはイベント、送迎が申し込まれる複数の予め定められた事業体場所またはイベントの１つである、工程を備える方法であって、
前記第１の事業体場所またはイベントに関連する者に信号を送信し、前記信号は、前記顧客が前記第１の事業体場所またはイベントに送迎されていることと、前記顧客のおおよその到達時間とを表示し、
前記顧客に識別体が提供されるようにし、前記識別体は、前記顧客の課金または位置の少なくとも１つを追跡するように前記事業体イベントまたは場所向けに構成され、
前記識別体が前記第１の事業体場所またはイベントにおいて読み取られるようにし、前記顧客が到着したことを確認するのにこの識別体を用い、
前記識別体を通じて、前記顧客の位置が前記第１の事業体場所またはイベントに送信されるようにする、方法。
【発明の詳細な説明】
【技術分野】
【０００１】
関連出願の参照
本出願は、２０１６年１１月８日に出願された係属中の米国仮特許出願番号６２／４１９３６７（代理人整理番号１１７４−０１の優先権を主張する。当該仮出願の全体が参照によって本明細書に援用される。
【０００２】
いくつかの典型的な実施の形態の以下の詳細な説明を通じて、以下で説明する添付の典型的な図面を参照して、多種多様であり実施性があり有用である可能な実施の形態がより容易に理解されることになる。
【図面の簡単な説明】
【０００３】
【図１】システム１０００の典型的な実施の形態のブロック図である。
【０００４】
【図２】方法２０００の典型的な実施の形態のフローチャートである。
【０００５】
【図３】情報デバイス３０００の典型的な実施の形態のブロック図である。
【発明を実施するための形態】
【０００６】
いくつかの典型的な実施の形態では、第１の車両によって顧客を迎車するようにする工程を備える方法を提供することができる。第１の事業体場所またはイベントに顧客を送迎する受け取り済みの第１の要求に応じて顧客を迎車する。第１の事業体場所またはイベント、送迎が申し込まれる複数の予め定められた事業体場所またはイベントの１つ。
【０００７】
図１はシステム１０００の典型的な実施の形態のブロック図であり、システム１０００はスマートフォン１３００、情報デバイス１１００、タブレット１２００、ネットワーク１４００、第１のサーバ１５００、第２のサーバ１６００、第３のサーバ１７００および第４のサーバ１８００を備えることができる。第１のサーバ１５００は第１のユーザインタフェース１５２０を備えることができ、第１のデータベース１５４０に接続することができる。第２のサーバ１６００は第２のユーザインタフェース１６２０を備えることができ、第２のデータベース１６４０に接続することができる。第３のサーバ１７００は第３のユーザインタフェース１７２０、プロセッサ１７６０、マシン指示１７８０を備えることができ、第３のデータベース１７４０に接続することができる。第４のサーバ１８００は第４のユーザインタフェース１８２０を備えることができ、第４のデータベース１８４０に接続することができる。方法および／またはその工程のいずれも、タブレット１２００、スマートフォン１３００、情報デバイス１１００および／または第１のサーバ１５００によって全部分または部分的に実行することができる。第２のサーバ１６００、第３のサーバ１７００および／または第４のサーバ１８００各々を、顧客に乗車を提供するシステムの実施に関連づけることができる。いくつかの典型的な実施の形態では、本明細書に開示されている１つ以上の方法を実施するのにシステム１０００を用いることができる。
【０００８】
図２は方法２０００の典型的な実施の形態のフローチャートである。動作２１００では、アプリケーションソフトウェア（「アプリ」）を顧客に（たとえば、インターネットを用いるダウンロードを通じて）提供することができる。他の実施の形態では、顧客がウェブサイトを通じて方法２０００にアクセスすることができる。アプリが提供されることで、顧客が事業体施設またはイベントの常連顧客になることに関する行動を開始することが可能になる。たとえば、事業体施設は、バー、パブ、レストラン、ナイトクラブおよび／またはアルコール飲料を提供する事業体であることが可能である。事業体は、たとえば、スポーツイベント、音楽イベント（たとえば、コンサート）、結婚式および／またはフェスティバルなどの、１つ以上のチケット販売イベントに関連する事業体であることも可能である。たとえば、顧客が購入する協賛済みのスポーツイベントチケットの一部については、予め定められた金額が乗車役務に対する報酬として支払われることになり、アプリを通じてイベントへの乗車およびイベントからの乗車が顧客に提示される。アプリは送迎が提供される事業体および／またはイベントの予め定められたセットを備える。顧客は、アプリを（たとえば、図１の情報デバイス１１００、タブレット１２００またはスマートフォン１３００などの情報デバイスを通じて）実行する。顧客からの情報を識別することを要求するユーザインタフェースがアプリによって顧客に提供される。いくつかの典型的な実施の形態では、要求は第１の事業体場所またはイベントに関連する者からのものである。ユーザインタフェースを通じて個人情報についてアプリによって顧客に問い合わせることが可能である。識別情報は、名前、所在地、電話番号、生年月日および／またはクレジットカード番号などを含むことが可能である。いくつかの典型的な実施の形態では、識別情報が入力されると、識別情報を２回以上入力する必要がないように、顧客はユーザ名およびパスワードを作成することができる。このような実施の形態では、識別情報を１回入力した後に顧客はログインすることができ、ログインが認証されると、第１のサーバ１５００のような情報デバイスが識別情報を自動的に取得することができる。行きの送迎が提示される事業体施設および／またはイベントのリストを顧客にアプリによって提供することができる。顧客は、事業体および／またはイベントのリストから事業体またはイベントを選択することができ、アプリは要求、送迎についての要求を送信する。別の実施の形態では、アプリが協賛事業体またはイベントの別のアプリまたはウェブサイトから送迎についての要求を受けることが可能である。送迎についての要求は個人向けであることが可能であったり、個人に関連する団体向けであることが可能であったりする。要求が団体向けである場合、選択された事業体またはイベントに移動するために団体の者を迎車するすべての追加所在地を提供することを、ユーザインタフェースを通じてアプリは顧客に促す。いくつかの典型的な実施の形態は、第１の事業体場所またはイベントに送迎される者の１つ以上の所在地を備える情報を顧客から受ける工程を備える。いくつかの典型的な実施の形態では、アプリは顧客に広告情報を与えることができる。いくつかの典型的な実施の形態では、第１の事業体場所またはイベントに基づいて顧客に広告を与える工程を行なうことができる。
【０００９】
動作２２００では、送迎要求を顧客から受ける。要求は顧客からのものであることが可能であり、パーソナルコンピューティングデバイスの第２のユーザインタフェース上のアプリケーションから要求を送信することができる。顧客は第２のユーザインタフェースを通じて事業体場所またはイベントの予め定められたリストから第１の事業体場所またはイベントを選択することができる。要求を受けると、顧客と、要求されている送迎の対象であるその他の者とを迎車するために複数の車両のうちのどれを派遣するべきかについて決定することができる。いくつかの典型的な実施の形態では、どの車両を派遣するかについての決定は、複数の車両の各々の全地球測位システム（Global Positioning System）（「ＧＰＳ」）情報と、顧客、および／または要求されている送迎の対象であるその他の者に対する当該車両の各々の近接度とに基づいて情報デバイスを通じて自動的に行なうことができる。他の実施の形態では、派遣管理者は、派遣された各車両の相対ＧＰＳ座標および／または顧客についての知識なしに顧客の迎車について管理することができる。たとえば、顧客が乗車を予約することができた後、派遣管理者に情報が送られ、派遣管理者は情報を受けて、ドライバに電話したり、顧客を迎車するという指示を含むテキストを送ったり電子メールを送ったりする。顧客はどの場所からでも乗車を予約することができる。すべてのドライバは、派遣してなんらかの乗車を提供する前に経歴チェックをパスすることが必要である。
【００１０】
動作２２２０では、顧客、および／または要求されている選択された事業体またはイベントへの送迎の対象であるその他の者に関するデータを、選択された事業体またはイベントに送信することができる。たとえば、選択された事業体またはイベントに送迎される複数の常連客と推定到着時間とを、選択された事業体またはイベントに知らせる専用のタブレット（たとえば、ｉＰａｄ（登録商標））にデータを送信することができる。その後、選択された事業体またはイベントは、顧客、および／または要求されている送迎の対象であるその他の者向けの予約の承認または否認を行なうことができる。選択された事業体またはイベントが、顧客、および／または要求されている送迎の対象であるその他の者に対応することができない場合、事業体またはイベントは予約を否認することができ、アプリが顧客に当該否認を自動的に通知することが可能である。当該否認の際、顧客がアプリを通じて別の事業体施設またはイベント施設を選択することができる可能性がある。
【００１１】
動作２２２５では、顧客、および／または要求されている選択された事業体またはイベントへの送迎の対象であるその他の者に関するデータを、選択された事業体またはイベントから受けることができる。たとえば、そうすると、第１の事業体場所またはイベントから顧客向けの予約の受諾または否認を受けることができる。
【００１２】
動作２３００では、車両を派遣して顧客を迎車する。いくつかの典型的な実施の形態では、選択された事業体またはイベントへの送迎については、明確に請求される運賃がないという意味で、送迎されている顧客に対する請求がないことが可能である。いくつかの典型的な実施の形態では、顧客、および／または要求されている送迎の対象であるその他の者が、与えられた役務に対して１回以上のチップをドライバに提供することができる。いずれのこのようなチップの金額も、顧客、および／または要求されている送迎の対象であるその他の者の裁量に完全に任せることが可能である。他の実施の形態では、車両を派遣している者が乗車の費用を支払うことが可能である。他の実施の形態では、乗車を要求している顧客がアプリを通じてかつ／または他の手段を通じて乗車の支払いを行なったりチケットを購入したりすることが可能である。たとえば、イベント、スポーツ会場、コンサートおよび／または結婚式などの主催者が乗車についての資金提供を行なうことが可能である。いくつかの典型的な実施の形態では、ナンバープレート番号、第１の車両の写真または第１の車両のドライバの写真の少なくとも１つを備える情報を顧客に送信する工程を行なうことができる。
【００１３】
動作２４００では、いくつかの典型的な実施の形態により、車両によって顧客、および／または要求されている送迎の対象であるその他の者を迎車して、選択された事業体またはイベントへの送迎を提供することができるようにすることができる。いくつかの典型的な実施の形態では、顧客に車両および／または車両のドライバに関する情報をアプリによって提供することが可能である。たとえば、ナンバープレート番号、車両の写真および／または車両のドライバの写真を顧客に自動的に提供することが可能である。これに加えて、車両の到着の推定時間をアプリによって提供することが可能である。いくつかの典型的な実施の形態では、アプリによって、車両のドライバが顧客に関する情報を自動的に受けるようにすることが可能である。たとえば、顧客の写真および／または場所の写真（たとえば、Ｇｏｏｇｌｅ  Ｅａｒｔｈ（登録商標）の写真）を車両のドライバに自動的に提供することが可能である。いくつかの典型的な実施の形態では、２人以上の顧客および／または顧客のセットを迎車し、顧客が所定の乗車を共有することが可能である。たとえば、２人の顧客が異なる所在地での乗車を予約することが可能であり、２人の顧客を最も速くかつ／または最も効果的なルートにしたがって迎車することが可能である。顧客の所定の事前知識がある状態もしくはない状態でまたは顧客が迎車前に知り合っている状態もしくは知り合っていない状態で顧客を両者とも迎車することができるという取り決めに顧客が明示的または黙示的に同意することができる。顧客は、同じ共通の目的地に至る場所を含む道の途中で友人を迎車するための他の場所を加えることによって「団体」同乗もしてもよい。
【００１４】
いくつかの典型的な実施の形態では、顧客を第１の車両によって迎車するようにする。第１の事業体場所またはイベントに顧客を送迎する受け取り済みの第１の要求に応じて顧客を迎車することが可能である。第１の事業体場所またはイベントは、送迎が申し込まれる複数の予め定められた事業体場所またはイベントの１つであることが可能である。
【００１５】
受け取り済みの第１の要求に応じて顧客に関する個人情報を受ける。第１の事業体場所またはイベントへの顧客の送迎を提供する複数の車両から第１の車両を選択することができる。顧客の位置に対する第１の車両の近接度に基づいて複数の車両から第１の車両を選択することができる。
【００１６】
第１の事業体場所またはイベントに関連する第１の者に信号を送信することができる。この信号は、顧客が第１の事業体場所またはイベントに送迎されていることと、顧客のおおよその到達時間とを表示することが可能である。顧客向けの予約の承認または否認を第１の事業体場所またはイベントから受けることができる。
【００１７】
いくつかの典型的な実施の形態では、識別体を顧客に提供するようにすることができる。識別体は、顧客の課金または位置の少なくとも１つを追跡するように第１の事業体場所またはイベント向けに構成される。識別体が第１の事業体場所またはイベントにおいて読み取られるようにすることが可能であり、この場合、顧客が到着したことを確認するのに識別体を用いる。識別体を通じて、顧客の位置が第１の事業体場所またはイベントに送信されるようにする。顧客を第１の事業体場所またはイベントから送迎する第２の要求を受ける。第２の要求は顧客が利用可能な第１のユーザインタフェースを通じて行なわれる。第２の要求に応じて、第２の車両を派遣して顧客を迎車する。第２の要求によって第２の事業体場所またはイベントへの顧客の送迎が行なわれるようにすることが可能である。
【００１８】
動作２５００では、顧客を識別体に関連づけることができる。識別体は当業者に知られている任意の識別体であることが可能である。たとえば、識別体は、磁気ストライプおよび／もしくはマシン可読チップ付きカード、ブレスレットならびに／または高周波無線識別（「ＲＦＩＤ」）タグを備える任意の対象であることが可能である。顧客が復路移動のために迎車されるまで、識別体が事業体によって用いられることが可能である。いくつかの典型的な実施の形態では、識別体の参照を完全にＧＰＳだけで実現することができ、他の一切の識別体が必要なくてもよい。事業体はそのシステムにＧＰＳ座標を組み込むことができ、アプリを用いて、迎車する前の顧客を識別する特定の座標に顧客の電話器のＧＰＳがあると判断することができ、顧客が目的地の事業体にいつ送られるかについて目的地の事業体（たとえば、バー、レストラン、会社または会場）に自動的に伝えることができる。識別体がＧＰＳ座標に基づくことが可能であり、いかなる実体のある製品にも基づかないことが可能である。いくつかの典型的な実施の形態では、目的地の事業体も顧客も、いずれの種類の物理的な識別体も有さない。ＧＰＳまたは手動入力された所在地を通じて迎車場所のために顧客を識別することができる。顧客によって迎車場所のために所在地が入力されてその経路設定がされると、この所在地は変更不能になる場合がある。ドライバが到着するときに顧客が迎車場所にいない場合、顧客は定額料金（たとえば、５ドル）を請求される。
【００１９】
動作２６００では、顧客が選択された事業体またはイベントに到着し、選択された事業体またはイベントによって識別体を読み取ることが可能である。いくつかの典型的な実施の形態では、たとえばＲＦＩＤリーダーを用いるなどして、識別体を自動的にかつ／またはワイヤレスで読み取ることができる。他の実施の形態では、磁気カードリーダーおよび／またはカードチップリーダーを通じて識別体を読み取ることができる。識別体を読み取ることを通じて、選択された事業体またはイベントは専用のタブレットを通じてするなどして、顧客が到着したことを確認することができる。
【００２０】
動作２７００では、その後、選択された事業体またはイベントが顧客向けに勘定書を作製することが可能である。勘定書を専用のタブレットによって自動的に更新して、処理のために専用のタブレットからサーバに送信することが可能である。他の実施の形態では、選択された事業体またはイベントが勘定書を追跡することが可能であり、顧客、および／または要求されている送迎の対象であるその他の者に関連する全請求の請求書の印刷出力物が、選択された事業体またはイベントから別の場所への移動のために派遣された車両のドライバに必要であることが可能である。いくつかの典型的な実施の形態では、第１の事業体場所またはイベントで識別体が読み取られるのに応じて、第１の事業体場所またはイベントで勘定を開始するようにすることができる。いくつかの典型的な実施の形態では、第１の事業体場所またはイベントで識別体が読み取られるのに応じて、勘定書の印刷出力物を第１の事業体場所またはイベントで印刷するようにすることができる。顧客がちょうどそのときに支払った勘定書に合致する顧客の領収書の写真を撮る責任を顧客が負うことが可能である。これがなされない場合、顧客に定額料金（たとえば２０ドル）を請求することが可能である。顧客には、領収書の支払いを行なうのに、予め定められた時間（たとえば、２４時間）が与えられる。顧客が自宅または別の事業体への乗車を要求するときにこのことを自動的に促すことができる。いくつかの典型的な実施の形態では、勘定書の印刷出力物を必要としなくてもよい。こういったことはデジタル的に行なわれ、顧客の責任であることが可能である。
【００２１】
動作２８００では、アプリが事業体、会場および／またはイベントの場所で顧客から送迎についての要求を受けることが可能である。動作２８００の要求対象は、選択された事業体またはイベントから別の場所に移動する顧客、および／または要求されている送迎の対象であるその他の者の迎車である。顧客が帰宅しかつ／または複数の他の事業体および／もしくはイベントのうちから選択したものに送迎されることを可能にするユーザインタフェースを、アプリによって顧客に提供することが可能である。別の選択された事業体またはイベントに送迎されることを顧客が決める場合、方法２０００は動作２３００から開始することを繰り返すことができる。
【００２２】
動作２９００では、車両を派遣して顧客を迎車することができる。いくつかの状況では、動作２９００の車両が動作２３００で派遣された同一車両であることになる。他の状況では、動作２９００の車両が動作２３００で派遣された車両とは異なる車両であることになる。選択された事業体またはイベントのＧＰＳ位置と比較した車両のＧＰＳ位置に基づいて車両を自動的に選択することができる。したがって、最も近い利用可能な車両を顧客の送迎に用いることができる。いくつかの典型的な実施の形態では、電子メール、テキストおよび／または電話を通じるなどしてドライバを派遣して顧客を迎車することができる。
【００２３】
動作２９２０では、アプリによって顧客送迎を開始することができる。したがって、派遣された車両によって顧客の自宅またはその他事業体でない場所への送迎のために顧客を迎車することが可能である。動作２９２０にしたがって提供される乗車の条件として、選択された事業体またはイベントについての全勘定の勘定書の写しを顧客が派遣された車両のドライバに提供する必要があることが可能である。いくつかの典型的な実施の形態では、第１の事業体場所またはイベントの顧客についての全勘定の勘定書の写しを顧客が提供する必要があるようにすることができる。その後、派遣された車両のドライバは全勘定の勘定書のデジタル写真をスキャンするか撮って、スキャンまたはデジタル写真をサーバに提供することができる。他の実施の形態では、ドライバは別の処理のために全勘定の勘定書の印刷出力物を留めておくことができる。別の実施の形態では、顧客がアプリを通じて顧客の勘定書または領収書の写真を提供することが可能であり、これにより、顧客が自宅または別の事業体、バー、イベントまたは会場への乗車を要求するのを自動的に可能にすることができる。いくつかの典型的な実施の形態では、送迎のメーター計算請求を用いずに乗車を提供することができる。このような実施の形態では、車両のドライバにチップで支払うことができる。他の実施の形態では、ドライバは、顧客と協議した送迎に対する報酬を請求することができる。
【００２４】
動作２９４０では、事業体またはイベントから金員を領収することができる。事業体またはイベントから領収される金員は、顧客、および／または要求されている送迎の対象であるその他の者によって費やされた任意の金員および／または全金員についての勘定の所定の割合であることが可能である。たとえば、選択された事業体またはイベントが、アプリに事業体またはイベントとしてリストされるために、勘定について領収される金員の約２０％を支払うことに同意している場合がある。いくつかの典型的な実施の形態では、選択された事業体またはイベントによって定期払い（たとえば、毎月払い）で支払いを行なうことが可能である。他の典型的な実施の形態では、事業体、イベント、バー、レストランまたは会場に対しても、顧客送迎役務に対する定額の月間または年間料金を歩合に基づかずに請求してもよい。また、歩合に基づいて請求すること以外に可能性があるのは、取り決めた設定期間中に請求することである。当該時間が満了した後、別の設定期間または時間について月間または年間金額の再取り決めを行なうことができる。これは、当該特定の事業体、イベント、バー、レストランまたは会場の、１つまたは多数の位置についてのものであることが可能である。
【００２５】
また、イベントについては、販売されたチケット毎に、予め定められて取り決められた金額で送迎役務を利用するとみなして定額料金が発生することが可能である。イベントは１回限りのイベントであったり、毎年行なわれたり、季節毎など定期的に行なわれたりすることが可能である。たとえば、アプリがチェーンレストランとの協力を反映することが可能であり、５か所に役務を提供する協約が存在することが可能である。レストランが前払いの料金の全額もしくは一部またはＸドルを支払って送迎役務の提供を開始することが可能である。これは月間料金または年間料金であることが可能である。これが全体の対価であってもよいし、歩合を加えた料金であることが可能である。別の例として、顧客は野球の試合への「乗り放題」チケットを購入することができる。イベントに移動してイベントから移動する当該顧客に送迎を提供する「乗り放題」事業体に購入代金の一部が与えられる。いくつかの典型的な実施の形態では、第１の事業体場所またはイベントでの顧客の全勘定の所定の割合として、第１の事業体場所またはイベントから第１の車両に関連する第２の者に金員を移すようにすることができる。いくつかの典型的な実施の形態では、第１の事業体場所またはイベントからの定額料金として、第１の車両に関連する第２の者に金員を移すようにすることができる。いくつかの典型的な実施の形態では、メーター計算請求を用いずに送迎を顧客に提供するようにすることができる。いくつかの典型的な実施の形態では、顧客によって支払われるチケット代金の一部を送迎についての対価として提供する。この場合、送迎についての顧客からの要求の前にチケット代金は支払い済みである。いくつかの典型的な実施の形態では、顧客は送迎されるときに送迎の支払いを行なわない。
【００２６】
いくつかの典型的な実施の形態では、顧客を第１の車両によって迎車するようにすることができる。第１の事業体場所またはイベントに顧客を送迎する受け取り済みの第１の要求に応じて顧客を迎車することができる。第１の事業体場所またはイベントは、送迎が申し込まれる複数の予め定められた事業体場所またはイベントの１つであることが可能である。第１の事業体場所またはイベントに関連する者に信号を送信する。この信号は、顧客が第１の事業体場所またはイベントに送迎されていることと、顧客のおおよその到達時間とを表示することが可能である。いくつかの典型的な実施の形態では、顧客に識別体を提供するようにすることができる。識別体は、顧客の課金または位置の少なくとも１つを追跡するように事業体イベントまたは場所向けに構成することができる。いくつかの典型的な実施の形態では、識別体を第１の事業体場所またはイベントにおいて読み取るようにすることが可能である。識別体は、顧客が到着したことを確認するのに用いることができる。識別体を通じて、いくつかの典型的な実施の形態では、顧客の位置が第１の事業体場所またはイベントに送信されるようにすることが可能である。
【００２７】
行きの乗車が提供されるレストラン／会場からの領収書の写真を撮る要件を顧客が満たさない各乗車に関連する定額料金（たとえば２０ドルの料金）が発生することが可能である。このような請求を予め定められた時間後（たとえば、２４時間後）に行なうことが可能である。ドライバ到着時に迎車場所におらず、その結果、乗車を逃す各顧客に関連する定額料金（たとえば２０ドルの料金）が発生することが可能である。
【００２８】
いくつかの典型的な実施の形態では、顧客またはパターニング事業体に与えられる物理的な識別体はない。移動している顧客によってレストラン／会場の予め定められた経度および緯度ＧＰＳ座標が顧客のスマートフォン上での顧客のＧＰＳに基づいて入力されるときの場合に「自動チェック」が行なわれることが可能である。顧客は、共通の目的地への途中で友人を迎車するための複数の停車場所を加えることができる。顧客は、顧客の最終目的地に戻る前にある協賛事業体から別の協賛事業体に行ってもよい。
【００２９】
いくつかの典型的な実施の形態では、モバイルアプリケーション（「アプリ」）を提供する。アプリプロバイダが協賛関係にある、予め定められたリストのレストランへの無料周遊乗車を予約するのに顧客はこのアプリを用いることができる。しかし、アプリプロバイダが協賛関係にある当該事業体は、顧客の無料乗車に影響を与える顧客とのいかなる関係／連絡も持たなくてもよい。たとえば、事業体協賛者は、送迎役務に必要とされるように、どのアプリプロバイダ顧客も知る必要はなく／どのアプリプロバイダ顧客ともやりとりを行なわないことになる。これは、事業体協賛者がプロセスのいずれの工程においても、すべての顧客をチェックすることに責任を負わないし、支援する必要がないことを意味する。
【００３０】
いくつかの典型的な実施の形態では、事業体協賛者に対する透明性についての注意を提供することができる。事業体協賛者は協賛者専用のアプリおよび／またはウェブサイトにログインすることができ、事業体の事業所に当方が何人の顧客を連れてきたか（何人の顧客がルートにいるかなども含むことになる）についての分析（analytics）、指標（metrics）および全体概要データ／ダッシュボードを見ることができる。いくつかの典型的な実施の形態は、定期的に（たとえば毎日）送迎される各顧客について事業体協賛者に自動請求することができるように透明性を高めるために、販売および顧客からの送迎要求の確証を添付した明細とともに事業体協賛者に送られる月間自動報告も含むことができる。
【００３１】
いくつかの典型的な実施の形態は、以下を備えることができるプロセスを利用することができる。
【００３２】
顧客がアプリを用いるとき、顧客はサインアップし／必要な情報に登録し、期間および条件に同意し、クレジットカードをファイルに入れることができる。その後、顧客は、使用の仕方を問わずアプリを使用しているまさにそのときの乗車を予約することができ、目的地リストを予め定められた場所に（アプリケーションによって見直された顧客のそのときの場所に応じて）刷新することができる。顧客が乗車を要求すると、自身の個人の車両を利用する当方の独立契約者が独立契約者のスマートフォンを通じて独立契約者専用のアプリ上で要求を受ける。アプリケーションは、最も近くにいて動員可能なドライバに乗車を自動的に割り付ける。ドライバが受諾すると、顧客はドライバが途上にいるのを確認し、時間の推定値を確認するなどすることができる。
【００３３】
顧客を迎車する。すると、ドライバは顧客を事業体協賛者に連れて行く。この乗車は、ファイルに提供済みのクレジットカードによってアプリを通じてチップを支払うかドライバに現金のチップを提供するかを選択する以外は、乗客に対して完全に無料である。
【００３４】
その後、顧客は事業体／レストラン／バーまで進むことができる。顧客がこの事業体でもてなされた後、顧客はアプリを用いることができ、顧客は自宅（または顧客が当方の距離の考え方の範囲で要求する任意の場所）への乗車を要求することができるか別のレストランに行くことを要求することができる。この要求が当方のモバイルアプリに入力されると、アプリは、顧客が以前に乗車を受けたことを認識し、次の乗車を開始するために領収書および情報を入力／スキャンするように顧客に求めることになる。ここで以下の選択肢がある。すなわち、顧客が「後でこれを行なう」ことを可能にし、顧客が選択をする場合に、この選択肢を用いるとこの情報を提出して無料乗車を確保するのに２４時間かかることを顧客に警告するという選択肢がある。この選択肢を用いない場合、乗車に対する１回限りの定額料金（当方がこの料金をそのときに決める）がファイル上の顧客のクレジットカードに請求される。
【００３５】
顧客が別のレストランに行くことを要求する場合、プロセスの１つ以上の工程を繰り返すことができる。顧客が帰宅することを要求して、情報を提出するか、選択した「後でこれを行なう」を提示するかする。その場合、ドライバは顧客を迎車して、顧客を家に連れて行くことができる。顧客はドライバにチップをアプリを通じて渡すか現金で渡すかする選択権を持つことができる。
【００３６】
顧客が「私は後でこれを行なう」選択肢を選択し、予め定められた期間内（たとえば２４時間）に情報を提出しない場合、アプリが２４時間以内に情報を提供しなかった予約済みの顧客を自動的に会計調査して顧客のクレジットカードに請求することが可能である。情報が提供される場合、予約由来のファイル上の情報／提供される追加情報をアプリが自動的に利用して、いくらの金員が事業所で費やされたかを計算して送迎役務について事業体に請求することが可能である。
【００３７】
金員を顧客から徴収した（たとえば、合意通りに販売の確証が提供されなかった場合）か、事業体協賛者から徴収した後、どのドライバが顧客の予約を履行したか（たとえば、ドライバＡが顧客をレストランに運び、ドライバＢが顧客を自宅に運んだか）をモバイルアプリは自動的に判断することができる。提供される役務について領収される金員の所定の割合を独立契約者の１つ以上の同意にしたがって各ドライバに入金することが可能である。
【００３８】
いくつかの典型的な実施の形態は、以下を備えることができるプロセスを利用することができる。
【００３９】
ドライバＡが顧客を事業体協賛者のところに運び、ドライバＢが顧客を自宅に運ぶ。顧客が事業体協賛者のところで１００ドルを費やし、このことで送迎についての顧客の勘定の２０％を支払うことになることが事業協賛協約に定められている。アプリオーナーは事業体協賛者から２０ドルを徴収する。その後、アプリオーナーは、事業体協賛者から徴収した金員のうちの協約に定められた割合をドライバＡおよびＢに支払う（たとえば、アプリオーナーは２０ドルを徴収し、関連するドライバ全員で分けた利益の５０％を支払うことに同意する。ドライバＡは５ドルを領収し、ドライバＢは５ドルを領収することになる。さらにドライバＡおよびＢは顧客によって提供される任意のチップの１００％も手にする。）。
【００４０】
いくつかの典型的な実施の形態は、以下を備えることができるプロセスを利用することができる。
【００４１】
ドライバＡが顧客を事業体協賛者のところに運び、ドライバＢが顧客を自宅に運ぶ。顧客が事業体協賛者のところで１００ドルを費やし、このことで送迎についての顧客の勘定の２０％を支払うことになることが事業協賛協約に定められているが、顧客が２４時間以内に情報を提供しない。アプリオーナーは役務の条件にしたがって顧客のクレジットカードから２０ドルの定額料金を徴収する。その後、アプリオーナーはドライバＡおよびＢに顧客から徴収される金員のうちの協約に定められた割合を支払う（たとえば、アプリオーナーは２０ドルを徴収し、関連するドライバ全員で分けた利益の５０％を支払うことに同意する。ドライバＡは５ドルを領収し、ドライバＢは５ドルを領収することになる。さらにドライバＡおよびＢは顧客によって提供される任意のチップの１００％も手にする。）。
【００４２】
いくつかの典型的な実施の形態は、以下を備えることができるプロセスを利用することができる。
【００４３】
ドライバＡが顧客を事業体協賛者のところに運ぶ。顧客は事業体協賛者Ａのところで１００ドルを費やし、このことで顧客の勘定のアプリオーナーに２０％を支払うことになることが事業協賛協約に定められている。顧客が事業体協賛者Ｂのところに運ぶことを要求し、事業体協賛者Ａについての必要な情報を提出する。ドライバＢが顧客を事業体協賛者Ｂのところに運ぶ。顧客が事業体協賛者Ｂのところで１００ドルを費やし、このことでアプリオーナーに顧客の勘定の２０％を支払うことになることが事業協賛協約に定められている。顧客が帰宅することを要求し、事業体協賛者Ｂについての必要な情報を提出する。ドライバＣが顧客を自宅に運ぶ。アプリオーナーが事業体協賛者ＡおよびＢから協約に定められた割合を徴収する（たとえば、合計４０ドル）。これは、アプリオーナーがドライバＡ，ＢおよびＣに事業体協賛者ＡおよびＢから徴収される金員のうちの協約に定められた割合を支払うことに等しい（たとえば、アプリオーナーが合計４０ドルを徴収し、関連するドライバ全員で分けた利益の５０％を支払うことに同意する。ドライバＡが１３．３３ドルを領収することになり、ドライバＢが１３．３３ドルを領収することになり、ドライバＣが１３．３３ドルを領収することになる。さらに各ドライバは顧客によって提供される任意のチップの１００％も手にすることになる。）。
【００４４】
図３は情報デバイス３０００の典型的な実施の形態のブロック図であり、いくつかの実施上有効な実施の形態では、情報デバイス３０００は、たとえば、図１のうちの情報デバイス１１００を備えることができる。情報デバイス３０００は、たとえば、１つ以上のネットワークインタフェース３１００、１つ以上のプロセッサ３２００、指示３４００を含む１つ以上のメモリ３３００、１つ以上の入力／出力デバイス３５００および／または１つ以上の入力／出力デバイス３５００接続される１つ以上のユーザインタフェース３６００などの多くの回路および／または構成要素のいずれかを備えることができる。
【００４５】
いくつかの典型的な実施の形態では、グラフィカルユーザインタフェースなどの１つ以上のユーザインタフェース３６００を通じて、顧客は事業体施設への送迎に関する情報の描画を見ることができる。
定義
【００４６】
以下の用語が本明細書で実質的に用いられる場合、添付の定義が適用される。これらの用語および定義は先入観なしに与えられ、かつ本出願と矛盾せず、本出願または本出願の優先権を主張している任意の出願の手続き中、当該用語を再定義する権利が留保される。本出願の優先権を主張する任意の特許の請求項を解釈する目的で、各定義（または、当初の定義が当該特許の手続き中に補正される場合には再定義された用語）は、当該定義外の主題の明確かつあいまいでない否定として機能する。
【００４７】
１つ（不定冠詞"a"）：少なくとも１つ。
【００４８】
動作：働き、行為、工程および／またはプロセスもしくはその一部。
【００４９】
のに適する（adapted to）：特定の使用または状況に好適であるか、適応するようにされる。
【００５０】
所在地：人が位置する場所を識別する情報。
【００５１】
広告：情報デバイスのユーザの注意になんらかのものを向ける描画情報。
【００５２】
および／または：合わせてまたは代わりに。
【００５３】
装置（apparatus）：特定の目的の器具（appliance）またはデバイス（device）。
【００５４】
アプリケーション：特定のタスクまたはタスクのセットを実行するマシン指示。
【００５５】
おおよその到着時間：人が特定の場所にいついることになるかについての推定値。
【００５６】
到着する：場所に達すること。
【００５７】
関連づける：加わること、ともにつながることおよび／または関係すること。
【００５８】
自動的に：外部の影響または制御から実質的に独立するように動作するか運用されること。たとえば、人が照明スイッチを手動で操作しなくても、自動照明スイッチがその視界内で人を「見る」とオンになることができる。
【００５９】
に利用可能な：によってデバイス上で見えるようにされる。
【００６０】
に基づく：判断の基準として用いられる。
【００６１】
課金：顧客による債務の金員の計算。
【００６２】
事業体場所：商品または役務が顧客に提供される現場。
【００６３】
できる（can）：少なくともいくつかの実施の形態において行なう能力がある。
【００６４】
ようにする（cause）：引き起こす。
【００６５】
回路：ネットワークに設けられる２つ以上のスイッチングデバイス間で、かつ接続される対応するエンドシステム（ただしネットワークに設けられない）の間で確立される電気導電経路および／または通信接続。
【００６６】
対価：弁済価値を持つ物または与えられる役務に対する支払高。
【００６７】
全（complete）：実質的に全部分（whole）またはすべて（entire）。
【００６８】
備える：含むが、それに限定されない。
【００６９】
構成する（configure）：特定の使用または状況に好適であるか、適応するようにすること。
【００７０】
承認する：明確な確かさをともなって認めること。
【００７１】
変換する：変形する、適応させるおよび／または変更すること。
【００７２】
写し：記載または描画されたテキスト。
【００７３】
接続する：なんらかの様式でつなぐこと。
【００７４】
顧客：商品または役務の使用者。
【００７５】
データ：情報の別個の部分であって、通常、特別な仕方または予め定められた仕方でフォーマットされかつ／または概念を表現するように組織化されたもの。
【００７６】
データ構造：データを効果的に操作することを可能にするデータの集まりの組織化物および／または特定のデータ操作機能をサポートするように設計されているデータ要素間の論理的関係。データ構造はデータ構造の特性を記述するメタデータを備えることができる。データ構造の例には、配列、辞書、グラフ、ハッシュ、ヒープ、連結リスト、マトリクス、オブジェクト、キュー、リング、スタック、ツリーおよび／またはベクトルを含めることができる。
【００７７】
定義する：概観、形態または構造を確立すること。
【００７８】
否認する：確かさを認めるか提供することを拒むこと。
【００７９】
判断する：得る、見積もる、決める、推測するおよび／または確かめること。
【００８０】
デバイス：マシン、製造品および／またはこれらの集まり。
【００８１】
派遣する：目的地に送ること。
【００８２】
ドライバ：車両の操作者。
【００８３】
者：人または事業体。
【００８４】
推定する：近似的かつ／または試験的に見積もるおよび／または判断すること。
【００８５】
イベント：特定の時間間隔中に、ある場所で起こるもの。
【００８６】
定額料金：なんらかのものについての固定請求金額。
【００８７】
発生させる：生成する、生じさせる、引き起こすおよび／または存在させる。
【００８８】
グローバルポジションシステム（ＧＰＳ）：複数の衛星から信号を受けるデバイスの地球上の位置を判断するように適応可能なシステム。
【００８９】
触覚の：運動感覚に関する動きの人体感覚および／または触れることについての人体感覚を含む。あり得る多くの触覚経験の中でも、触知的な接触（触れられる）、能動的な接触、握り、圧力、摩擦、引っ張り、滑り、伸張、力、トルク、衝撃、穿刺、振動、動き、加速、けいれん、脈動、方向転換、肢体位置、重力、手触り、ギャップ、凹み、粘性、痛み、かゆみ、湿気、温度、熱伝導および熱容量を感じることを含む、少なくとも部分的に見えず、聴こえず、臭わないように知覚される多数の知覚、知覚の物理的位置の差および知覚の時系列的変化がある。
【００９０】
印刷出力物：紙上に作製される（コンピュータ記憶装置からの情報のような）文字情報またはグラフィック情報の写し。
【００９１】
識別体：人と一義的に関連づけられるデータ。たとえば、識別体は名前、ＧＰＳ信号を通じて識別される所在地、社会保障番号、運転免許証番号、クレジットカード番号、デビットカード番号、磁気ストライプおよび／もしくはマシン可読チップ付きカード、ブレスレットならびに／または高周波無線識別（「ＲＦＩＤ」）タグを備える任意の対象などを備えることができる。
【００９２】
表示する：意味すること。
【００９３】
情報：概念を表現するように組織化されたデータ。
【００９４】
情報デバイス：パーソナルコンピュータ、ワークステーション、サーバ、ミニコンピュータ、メインフレーム、スーパーコンピュータ、コンピュータ端末、ラップトップ、ウェアラブルコンピュータならびに／またはパーソナルデジタルアシスタント（ＰＤＡ）、移動端末、Ｂｌｕｅｔｏｏｔｈ（登録商標）デバイス、コミュニケータ、「スマート」フォン（Ｔｒｅｏに類似のデバイスなど）、メッセージサービス（たとえばＢｌａｃｋｂｅｒｒｙ）レシーバ、ポケットベル、ファクシミリ、携帯電話、従来の電話器、電話デバイス、プログラムされたマイクロプロセッサもしくはマイクロコントローラおよび／もしくは周辺集積回路要素、ＡＳＩＣもしくは他の集積回路、別体の要素回路のようなハードウェア電子論理回路ならびに／またはＰＬＤ、ＰＬＡ、ＦＰＧＡもしくはＰＡＬなどのプログラム可能な論理デバイスなどの任意の汎用および／もしくは専用コンピュータなどのデータおよび／もしくは情報を処理する能力がある任意のデバイス。一般に、本明細書で説明されている方法、構造および／またはグラフィカルユーザインタフェースの少なくとも一部を実施する能力がある有限状態機械が存在する任意のデバイスを情報デバイスとして用いてもよい。情報デバイスは１つ以上のネットワークインタフェース、１つ以上のプロセッサ、指示を含む１つ以上のメモリおよび／または１つ以上の入力／出力（Ｉ／Ｏ）デバイスならびにＩ／Ｏデバイスに接続される１つ以上のユーザインタフェースなどの構成要素を備えることができる。
【００９５】
入出力（Ｉ／Ｏ）デバイス：Ｉ／Ｏデバイスを取り付けたり接続したりすることができるポートを含む可能性がある、たとえば、モニタ、ディスプレイ、プロジェクタ、頭部装着ディスプレイ、キーボード、キーパッド、マウス、トラックボール、ジョイスティック、ゲームパッド、ホイール、タッチパッド、タッチパネル、ポインティングデバイス、マイク、スピーカー、ビデオカメラ、カメラ、スキャナ、プリンタ、触覚デバイス、バイブレータ、触覚シミュレータおよび／または触覚パッドを含む聴覚、視覚、触覚、嗅覚および／または味覚指向のデバイスなどの任意の感覚指向入力および／または出力デバイス。
【００９６】
設置する：適所に接続するか据えて使用に備えること。
【００９７】
ナンバープレート：固有の車両識別体を備える行政が発行する掲示物。
【００９８】
場所：なんらかのものが物理的に存在する位置の実質的に近傍にあるところ。
【００９９】
マシン指示：マシン（情報デバイスなど）が１つ以上の特定の動作、運用または機能を実行するようにするのに適する命令。命令は、「プロセッサ」、「カーネル」、「オペレーティングシステム」、「プログラム」、「アプリケーション」、「ユーティリティ」、「サブルーチン」、「スクリプト」、「マクロ」、「ファイル」、「プロジェクト」、「モジュール」、「ライブラリ」、「クラス」および／または「オブジェクト」などと呼ばれるエンティティを場合によっては形成することができ、マシンコード、ソースコード、オブジェクトコード、コンパイル済みコード、アセンブル済みコード、インタプリット可能コードおよび／または実行可能コードなどとしてハードウェア、ファームウェアおよび／またはソフトウェアで具体化することができる。
【０１００】
マシン可読媒体：マシンがデータおよび／または情報を得ることができる物理的な構造。メモリ、穿孔カードなどが例に含まれる。
【０１０１】
してもよい：少なくともいくつかの実施の形態において容認および／または許可される。
【０１０２】
メモリデバイス：指示および／またはデータなどのアナログまたはデジタル情報を記憶する能力がある装置。不揮発性メモリ、揮発性メモリ、ランダムアクセスメモリＲＡＭ、読み出し専用メモリＲＯＭ、フラッシュメモリ、磁気媒体、ハードディスク、フロッピーディスク、磁気テープ、光媒体、光ディスク、コンパクトディスク、ＣＤ、デジタル多用途ディスクＤＶＤおよび／またはＲＡＩＤアレイなどが例に含まれる。メモリデバイスはプロセッサに接続することができ、かつ／または本明細書で開示されている実施の形態に係る指示などのプロセッサによって実行されるのに適する指示を記憶することができる。
【０１０３】
メーター計算請求：移動した距離に比例する課金額。
【０１０４】
方法：プロセス、手順および／またはなんらかのものを達成するための関連動作の集まり。
【０１０５】
金員：特定の国または社会経済的状況で商品および役務に対する支払いならびに債務の弁済として一般的に認められている任意の事項（item）または検証可能な記録。
【０１０６】
ネットワーク：通信接続されている複数のノード。ネットワークは、回路交換型、公衆交換型、パケット交換型、データ、電話、通信、動画配信、ケーブル、地上波、放送、衛星、ブロードバンド、社内、全世界、国内、地域内、広域、基幹、パケット交換ＴＣＰ／ＩＰ、Ｆａｓｔ  Ｅｔｈｅｒｎｅｔ、Ｔｏｋｅｎ  Ｒｉｎｇ、公衆インターネット、プライベート、ＡＴＭ、マルチドメインおよび／もしくはマルチゾーン・サブネットワーク、１つ以上のインターネットサービスプロバイダならびに／またはローカルエリアネットワークに直接接続されないスイッチ、ルータおよび／またはゲートウェイなどの１つ以上の情報デバイスなどの多種多様なサブネットワークのいずれかであることが可能でありかつ／または利用することが可能である。
【０１０７】
ネットワークインタフェース：情報デバイスをネットワークに接続させる能力がある任意のデバイス、システムまたはサブシステム。たとえば、ネットワークインタフェースは電話、携帯電話器、セルラー方式モデム、電話データモデム、ファクスモデム、ワイヤレストランシーバ、Ｅｔｈｅｒｎｅｔカード、ケーブルモデム、デジタル加入者回線インタフェース、ブリッジ、ハブ、ルータまたは他の類似のデバイスであることが可能である。
【０１０８】
提示：受諾または拒否のために役務を示すこと。
【０１０９】
支払われる：ある者に金員が譲渡されること。
【０１１０】
支払う：金員を譲渡すること。
【０１１１】
割合：なんらかのもののなんらかに定められた比率。
【０１１２】
パーソナルコンピューティングデバイス：ユーザの手で持って操作するのに十分に小型の情報デバイス。
【０１１３】
個人情報：特定の個人に固有のデータ。たとえば、名前、所在地、電話番号、電子メールアドレス、クレジットカード番号および／または写真画像など。
【０１１４】
写真：写真フィルム上にすることよって作成されるか、電子的に作成される画像。電子的に作成された画像はメモリデバイスに記憶可能である。
【０１１５】
迎車：車両によって送迎することを提示することまたは車両によって送迎すること。
【０１１６】
複数：複数の状態および／または１つを超える状態。
【０１１７】
一部：全体の部分。
【０１１８】
予め定められ：事前に確立されること。
【０１１９】
印刷：インクを付着させた印刷面に対して紙を押し当てることによってなんらかの写しを作製すること。
【０１２０】
の前に：時間的に先に。
【０１２１】
プロセッサ：１つ以上の予め定められたタスクを実行するためのデバイスおよび／またはマシン可読指示のセット。プロセッサはハードウェア、ファームウェアおよび／またはソフトウェアのいずれか１つまたはこれらの組み合せを備えることができる。プロセッサは１つ以上のタスクを実行するのに機械、空気圧、水圧、電気、磁気、光学、情報、化学および／もしくは生物学的原理、信号ならびに／または入力を利用することができる。特定の実施の形態では、プロセッサは実行可能プロシージャおよび／または情報デバイスによって用いられる情報に操作、解析、改変、変換、送信を行ないかつ／または出力デバイスへの情報の経路を設定することによって情報に作用することができる。プロセッサは中央処理装置ローカルコントローラ、リモートコントローラ、並列コントローラおよび／または分散コントローラなどとして機能することができる。特に明記しない限り、プロセッサはマイクロコントローラおよび／またはマイクロプロセッサのような汎用デバイスであることが可能であり、このようなＰｅｎｔｉｕｍ  ＩＶシリーズのマイクロプロセッサがカリフォルニア州サンタクララのインテル社によって製造されている。いくつかの実施の形態では、プロセッサは特定用途向け集積回路（ＡＳＩＣ）またはフィールドプログラマブルゲートアレイ（ＦＰＧＡ）などの専用デバイスであることが可能である。これは、そのハードウェアおよび／またはファームウェアにおいて本明細書で開示されている実施の形態の少なくとも部分を実施するように設計されてきた。
【０１２２】
予想する（project）：見積もる、推定するまたは予測すること。
【０１２３】
提供する：備え付ける、供給する、与えるおよび／または利用可能にすること。
【０１２４】
近接度：空間的な近さまたはあるものから別のものへの近さ。
【０１２５】
問い合わせる：情報を要求すること。
【０１２６】
読み取られる：受け取られて情報を備える信号として解釈される。
【０１２７】
受ける：信号として得る、取る、獲得するおよび／または取得すること。
【０１２８】
推奨する：提案する、称賛する、勧めるおよび／または支持すること。
【０１２９】
に対して：と比較して。
【０１３０】
与える（render）：たとえば、データ、コマンド、テキスト、グラフィック、音声、動画、アニメーションおよび／またはハイパーリンクなどとして、ディスプレイ、モニタ、電子ペーパー、眼インプラント、蝸牛インプラント、スピーカーなどを通じてするなど、任意の視覚、聴覚および／または触覚手段を通じてするなどして、人間に認識可能にすること。
【０１３１】
予約：前もってなされる取り決め。
【０１３２】
応じる：影響および／または刺激に反応すること。
【０１３３】
繰り返して：何度も。反復して。
【０１３４】
要求する：要望および／または請求を表わすこと。
【０１３５】
必要とする：なんらかのものを要すること。
【０１３６】
選択する：複数の選択肢から選ぶこと。
【０１３７】
セット：関連する複数存在性。
【０１３８】
信号：動作のためのマシン指示ならびに／または事前に取り決められた意味を持つ１つ以上の文字、語、記号、シンボル、信号フラッグ、視覚表示および／もしくは特別な音などの情報であって、パワー、エネルギ、圧力、流量、粘性、密度、トルク、衝撃、力、周波数、位相、電圧、電流、抵抗、起磁力、磁場強度、磁束、磁束密度、磁気抵抗、透磁率、屈折率、光波長、偏光、反射率、透過率、位相シフト、濃度および／または温度などの空気圧、水圧、音響、流体、機械、電気、磁気、光、化学および／または生物学的変数などの物理的変数の自動的に検出可能な変化として符号化される情報。文脈に応じて、そこで符号化される信号および／または情報は同期するものであり、同期しないものであり、ハードリアルタイムなものであり、ソフトリアルタイムなものであり、リアルタイムでないものであり、連続的に発生し、連続的に変化し、アナログであり、離散的に発生し、離散的に変化し、量子化され、デジタルであり、放送され、マルチキャストされ、ユニキャストされ、送信され、伝導され、受信され、連続的に測定され、離散的に測定され、処理され、符号化され、暗号化され、多重化され、変調され、伸長され、伸長の復元がなされ、復調され、検出され、多重化の復元がなされ、解読されかつ／または復号化されるなどが可能である。
【０１３９】
記憶する：データを、典型的にはメモリに置く、保持するおよび／または留めること。
【０１４０】
実質的に：かなりの程度または度合いまで。
【０１４１】
システム：機構、デバイス、マシン、製品、プロセス、データおよび／または指示の集まりであって、１つ以上の特定の機能を実行するように設計されている集まり。
【０１４２】
勘定書：請求書または支払うという約束についての債権者の記録。
【０１４３】
チケット代金：場所またはイベントに入場するのに支払われる金額。
【０１４４】
追跡：無線信号によってするように、なんらかのもののコースまたは経路を観測またはモニタすること。
【０１４５】
移す：ある者から別の者に譲渡すること。
【０１４６】
送信する：信号として送る、提供する、与えて役立たせるおよび／または供給すること。
【０１４７】
送迎する：あるところから別のところに運ぶ、移動させるまたは運送すること。
【０１４８】
送迎：第１の場所から第２の場所に少なくとも１人を運送すること。
【０１４９】
ユーザインタフェース：ユーザに対する情報を与えかつ／または情報をユーザに要求する任意のデバイス。ユーザインタフェースは、文字、グラフィック、音声、動画、アニメーションおよび／または触覚要素の少なくとも１つを含む。文字要素は、たとえば、プリンタ、モニタ、ディスプレイ、プロジェクタなどによって提供することができる。グラフィック要素は、たとえば、モニタ、ディスプレイ、プロジェクタ、および／または光、フラッグ、ビーコンなどの視覚表示デバイスを通じて提供することができる。音声要素は、たとえば、スピーカー、マイクおよび／または他の音発生デバイスおよび／または受音デバイスを通じて提供することができる。動画要素またはアニメーション要素は、たとえば、モニタ、ディスプレイ、プロジェクタおよび／または他の視覚デバイスを通じて提供することができる。触覚要素は、たとえば、超長波長スピーカー、バイブレータ、触覚刺激装置、触覚パッド、シミュレータ、キーボード、キーパッド、マウス、トラックボール、ジョイスティック、ゲームパッド、ホイール、タッチパッド、タッチパネル、ポインティングデバイスおよび／または他の触覚デバイスなどを通じて提供することができる。ユーザインタフェースは、たとえば、１つ以上の文字、数字、シンボルなどの１つ以上の文字要素を含むことができる。ユーザインタフェースは、画像、写真、図、アイコン、ウインドウ、タイトルバー、パネル、シート、タブ、ドロワー、マトリクス、テーブル、フォーム、カレンダー、アウトラインビュー、フレーム、ダイアログボックス、スタティックテキスト、テキストボックス、リスト、ピックリスト、ポップアップリスト、プルダウンリスト、メニュー、ツールバー、ドック、チェックボックス、ラジオボタン、ハイパーリンク、ブラウザ、ボタン、コントロール、パレット、プレビューパネル、色相環、ダイヤル、スライダ、スクロールバー、カーソル、ステータスバー、ステップ進行表示（stepper）および／またはプログレスインジケータなどの１つ以上のグラフィック要素を含むことができる。文字要素および／またはグラフィック要素は、外観、背景色、背景スタイル、境界のスタイル、境界の厚さ、前景色、フォント、フォントスタイル、フォントサイズ、整列、ライン間隔、インデント、最大データ長、バリデーション、クエリ、カーソルタイプ、ポインタタイプ、自動サイズ調整、位置および／または寸法などの選択、プログラム、調節、変更、指定などに用いることができる。ユーザインタフェースは、たとえば、ボリュームコントロール、ピッチコントロール、スピード制御、ボイスセレクタおよび／または音声再生、スピード、一時停止、早送り、リバースなどを制御するための１つ以上の要素などの１つ以上の音声要素を含むことができる。ユーザインタフェースは、たとえば、動画再生、スピード、一時停止、早送り、リバース、ズームイン、ズームアウト、回転および／または傾きなどを制御する要素などの１つ以上の動画要素を含むことができる。ユーザインタフェースは、たとえば、アニメーション再生、一時停止、早送り、リバース、ズームイン、ズームアウト、回転、傾き、色、強さ、スピード、頻度、外観などを制御する要素などの��つ以上のアニメーション要素を含むことができる。ユーザインタフェースは、たとえば、触覚刺激、力、圧力、振動、動き、変位、温度などを利用する要素などの１つ以上の触覚要素を含むことができる。
【０１５０】
車両：人または物を輸送するデバイスまたは構造体。車両は、車、トラック、機関車および／または鉱山運搬トラックなどであることが可能である。
【０１５１】
通じて：経由しておよび／または利用して。
備考
【０１５２】
さらに他の実質的にかつ特別に実施性があり有用である実施の形態が、上記記載の詳細な説明および／または明細書に含まれる詳細な説明および／またはいくつかの典型的な実施の形態の図面に触れることで当業者に容易に明確になる。多くの変形例、修正例およびさらなる実施の形態が可能であり、したがって、すべてのこのような変形例、修正例および実施の形態が本出願の範囲内にあるとみなされるものであると当然解する。
【０１５３】
したがって、本出願の任意の部分（たとえば、名称、分野、背景、概要、説明、要約、図面など）の内容に関係なく、本出願および／または本出願の優先権を主張する任意の出願の任意の請求項か否かにかかわらず、かつ当初設けられたかそれ以外かにかかわらず、任意の請求項に対する明示的な定義、主張または検討を通じてするなどしてそれとは反対の記載が明記されていない限り、以下の通りである。
【０１５４】
どの特定の記載または図示特徴、機能、動作または要素、どの特定の動作列または要素のどの特定の相互関係も含む必要はない。
【０１５５】
一切の特徴、機能、動作または要素が「必須」ではない。
【０１５６】
どの要素も一体化し、別のものから分けかつ／または二重化することができる。
【０１５７】
どの動作も繰り返すことができ、どの動作も複数の主体が実行することができかつ／またはどの動作も複数の管轄で実行することができる。
【０１５８】
特にどの動作または要素も除外することができ、動作の順序を変更することができかつ／または要素の相互関係を変更することができる。
【０１５９】
さらに、なんらかの数または範囲が本明細書に記載されている場合、他に明記されていない限り、当該数または範囲はおおよそのものである。なんらかの範囲が本明細書に記載されている場合、他に明記されていない限り、当該範囲は当該範囲内のすべての値と当該範囲内のすべての小範囲とを含む。たとえば、１〜１０の範囲が記載されている場合、この範囲はこの範囲のすべての値、たとえば、１．１，２．５，３．３３５，５，６．１７９，８．９９９９などを含み、この範囲のすべての小範囲、たとえば、１〜３．６５，２．８〜８．１４，１．９３〜９などを含む。
【０１６０】
いずれかの請求項要素の後に図面要素番号が続く場合、その図面要素番号は一例であり、請求項の範囲に対する限定ではない。本出願の一切の請求項は、明確な語句“means for”の後に動名詞が続かない限り、米国特許法第１１２条第６項が適用されることを意図していない。
【０１６１】
本明細書に参照によって援用されているどの資料（たとえば、米国特許、米国特許出願、書籍、記事など）中のどの情報も、当該情報と本明細書に記載の他の記載および図面との間に矛盾が存在しない限りにおいて参照によって援用されるのに限られる。本出願の任意の請求項または本出願に対する優先権を求める任意の請求項を無効にする矛盾を含むこのような矛盾の場合には、このような資料中のどのこのような矛盾する情報も、本明細書に参照として特に援用されない。
【０１６２】
したがって、本出願それ自体の請求項以外の本出願のあらゆる部分（たとえば、名称、分野、背景、概要、説明、要約、図面など）は、元来例示とみなされるものであり、限定とみなされるものではない。本出願に基づいて発行される任意の特許によって保護される主題の範囲は当該特許の請求項によってのみ定義される。
【図１】
2020503627.tif 000003
【図２】
2020503627.tif 000004
【図３】
2020503627.tif 000005
【国際調査報告】
2020503627.tif 000006